(57)【特許請求の範囲】
【請求項１】
浴室空間に向けて温水を噴霧するノズルと前記ノズルに接続された温水供給用配管および暖房用温水回路を具備した浴室乾燥機において、前記ノズルに接続されている前記温水供給用配管が少なくとも２軸の回転軸部を有しており、回転軸部の回転駆動によって前記ノズルの温水噴霧位置が上下変更自在とし、前記温水供給用配管の前記回転軸部は、前記ノズルを高さ方向に移動させる第１の軸と前記ノズルの噴射方向を調整する第２の軸で構成し、前記第１の軸部と前記第２の軸部との相対的な位置を略水平とし、前記第１の回転軸部を中心に回転させて前記ノズルを上下方向へ動かしたことを特徴とする浴室乾燥機。
【請求項２】
温水供給用配管は、第１の軸部と第２の軸部とを接続している温水供給用配管を弾性強度を有する形状としたことを特徴とする請求項１記載の浴室乾燥機。
【請求項３】
ノズルの初期位置は、上下可動範囲の中心に位置していることを特徴としている請求項１または２に記載の浴室乾燥機。
【請求項４】
ノズルに接続されている温水供給用配管の回転軸部が、回転軸部より先端部の自重で回転しない保持力を有したことを特徴とする請求項１〜３のいずれかに記載の浴室乾燥機。
【請求項５】
ノズルまたは温水供給用配管に係止部を設け、前記係止部を浴室換気乾燥機本体内に係止させることを特徴とする請求項１〜４のいずれかに記載の浴室乾燥機。
【請求項６】
浴室乾燥機本体内にノズルまたは温水供給用配管を係止する係止部を設け、前記ノズルまたは温水供給配管を係止させることを特徴とする請求項１〜４のいずれかに記載の浴室乾燥機。
【請求項７】
ノズルの駆動範囲に温水供給用配管または前記ノズルが駆動しやすくするための案内機構を設けたことを特徴とする請求項１〜６のいずれかに記載の浴室乾燥機。
【請求項８】
ノズルを浴室乾燥機に固定する部分に、温水が噴霧する回転方向の位置ずれを防止するためのずれ防止機構を設けたことを特徴とする請求項１〜７のいずれかに記載の浴室乾燥機。
【請求項９】
ノズルと温水供給用配管の結合部に回転方向の位置ずれ防止をするずれ防止機構を設けたことを特徴とする請求１〜８のいずれかに記載の浴室乾燥機。
【発明の詳細な説明】
【技術分野】
【０００１】
本発明は、浴室に使用されるミストサウナ機能を有し、かつ衣類および浴室内を乾燥、暖房または換気をする浴室乾燥機に関する。
【背景技術】
【０００２】
近年、浴室の天井埋め込み型浴室乾燥機において、マンション等の集合住宅では短期間で効率よく設置することを目的とし、ユニットバスの設置前・設置後の両方において浴室乾燥機を設置できることが望まれている。
【０００３】
従来、この種の浴室乾燥機は、施工方法や天井板の厚さによって、天井面側に取り付けた浴室乾燥機本体とその下面の開口を覆うルーバーとの間の距離が異なることから、浴室乾燥機にルーバーと本体の間において通風路の伸縮自在に構成して調整をおこなう装置を設けたものが知られている（例えば、特許文献１参照）。
【０００４】
以下、その浴室乾燥機について図１６を参照しながら説明する。
【０００５】
図に示すように、浴室乾燥機１０１は、浴室の天井部に設置し、本体下面を覆うようにして天井面にフロントカバー１０２を配置し、フロントカバー１０２には温風を吹出すための吹出し口１０８を備え、本体には、空気を加熱するための加熱器１０９と、加熱器１０９で加熱された空気を吹出すための送風機１０６と、この送風機１０６からフロントカバー１０２の吹出し口１０８へ温風を導くための送風路１０５とを備え、送風路１０５または吹出し口１０８が伸縮自在に構成され、送風摺路動部１０４によって対向する吹出し口１０８または送風路１０５に接触するように構成していた。
【０００６】
また、浴室空間へミストを噴霧する浴室乾燥機のミストノズルの位置調整を行うものとしては、スライド機構を有するもが知られている（例えば、特許文献２参照）。
【０００７】
以下、その浴室乾燥機について図１７を参照しながら説明する。
【０００８】
ミストノズル２０１の位置を所定の位置へ設置するためにノズル固定板２０３にミストノズル２０１を取り付け、浴室乾燥機本体内に設けた被スライド部２０６に上下位置自在にスライドさせ止めネジ２０８にて、ねじ止めをして取り付けるように構成していた。
【特許文献１】特許第３６７８１０１号公報
【特許文献２】特開２００６−７１１４４号公報
【発明の開示】
【発明が解決しようとする課題】
【０００９】
このような従来の浴室乾燥機では、温水噴霧用のノズルは、ルーバーの外側に位置させ浴室空間に温水を噴霧することから位置合わせを正確に行えることが要求されていた。そのためルーバーと本体の間で伸縮自在の構成を備えても、噴霧する方向を調節することが困難であった。
【００１０】
また、特許文献２にあるようなスライド機構を用いた場合、施工時に浴室乾燥機内部に手を入れてスライド機構を固定または緩めるといった作業が伴い、非常に面倒であった。
【００１１】
また、ルーバーに温水噴霧用のノズルが装着されている場合、浴室乾燥機本体を天井に取り付けた後に、ルーバーを取り付けるがその際にノズルを本体側の温水供給用配管と接続する作業が伴う。この接続作業によって、ノズルの温水噴霧角度・方向が所要の範囲からはずれ、調節に手間がかかるという課題があった。
【００１２】
本発明は、このような従来の課題を解決するもので、浴室乾燥機をユニットバス設置前・設置後の施工どちらの仕様にも対応でき、かつノズルの上下位置を簡単に調節でき、かつ施工のバラツキによる温水噴霧方向のズレを小さくすることのできるミストサウナ機能付き浴室乾燥機を提供することを目的とする。
【課題を解決するための手段】
【００１３】
前記課題を解決するために、本発明の浴室乾燥機は、浴室空間に向けて温水を噴霧するノズルと前記ノズルに接続された温水供給用配管および暖房用温水回路を具備した浴室乾燥機において、前記ノズルに接続されている前記温水供給用配管が少なくとも２軸の回転軸部を有しており、回転軸部の回転駆動によって前記ノズルの温水噴霧位置が上下変更自在としたことを特徴とする浴室乾燥機ものである。
【００１４】
この手段により、ユニットバス設置後に浴室乾燥機を設置する場合、ユニットバス設置後に浴室乾燥機を設置する場合の両方の場合において、浴室の天井板の厚さの影響を受けずに、ルーバーに対する温水噴霧用ノズル部の位置関係をほぼ一定の高さに合せることができ、どちらの施工においても所要の温水噴霧性能を維持することができるという効果のある浴室乾燥機が得られる。
【００１５】
また、他の手段は、温水供給用配管の回転軸部は、ノズルを高さ方向に移動させる第１の回転軸部とノズルの噴射方向を調整する第２の回転軸部で構成し、前記第１の回転軸部と前記第２の回転軸部との相対的な位置を略水平としたことを特徴とするものである。
【００１６】
この手段により、ノズルの上下位置を簡単に調節でき、かつ施工のバラツキによる温水噴霧方向のズレを小さくできるという効果のある浴室乾燥機が得られる。
【００１７】
また、他の手段は、温水供給用配管は、第１の回転軸部と第２の回転軸部とを接続している温水供給用配管を弾性強度を有する形状としたことを特徴とするものである。
【００１８】
この手段により、ノズルの上下位置を簡単に調節でき、かつ施工のバラツキによる温水噴霧方向のズレを小さくできるという効果のある浴室乾燥機が得られる。
【００１９】
また、他の手段は、ノズルの初期位置は、上下可動範囲の中心に位置していることを特徴するものである。
【００２０】
この手段により、ノズルの上下位置は初期位置を中心にして簡単に調節でき、かつ施工のバラツキによる温水噴霧方向のズレを小さくできるという効果のある浴室乾燥機が得られる。
【００２１】
また、他の手段は、ノズルに接続されている温水供給用配管の回転軸部が、回転軸部より先端部の自重で回転しない保持力を有したことを特徴とするものである。
【００２２】
この手段により、ノズルの上下位置を施工者の意図した位置へ簡単に調節でき、かつ施工のバラツキによる温水噴霧方向のズレを小さくできるという効果のある浴室乾燥機が得られる。
【００２３】
また、他の手段は、ノズルまたは温水供給用配管に係止部を設け、前記係止部を浴室換気乾燥機本体内に係止させることを特徴とするものである。
【００２４】
この手段により、浴室乾燥機設置後にユニットバスの設置を行う場合でも、ノズルが施工の妨げとならずユニットバスの施工効率が向上するという効果のある浴室乾燥機が得られる。
【００２５】
また、他の手段は、浴室乾燥機本体内にノズルまたは温水供給用配管を係止する係止部を設け、前記ノズルまたは温水供給用配管を係止させることを特徴とするものである。
【００２６】
この手段により、浴室乾燥機設置後にユニットバスの設置を行う場合でも、ノズルが施工の妨げとならずユニットバスの施工効率が向上するという効果のある浴室乾燥機が得られる。
【００２７】
また、他の手段は、ノズルの駆動範囲に温水供給用配管または前記ノズルが駆動しやすくするための案内機構を設けたことを特徴とするものである。
【００２８】
この手段により、案内機構によりノズルの上下位置を簡単に調節でき、浴室乾燥機をユニットバス設置前・設置後の施工どちらの場合でも施工のバラツキによる温水噴霧方向のズレを小さくできるという効果のある浴室乾燥機が得られる。
【００２９】
また、他の手段は、ノズルを浴室乾燥機に固定する部分に、温水が噴霧する回転方向の位置ずれを防止するためのずれ防止機構を設けたことを特徴とするものである。
【００３０】
この手段により、施工のバラツキによる温水噴霧方向のズレを小さくできるという効果のある浴室乾燥機が得られる。
【００３１】
また、他の手段は、ノズルと温水供給用配管の結合部に回転方向の位置ずれを防止するためのずれ防止機構を設けたことを特徴とするものである。
【００３２】
この手段により、施工のバラツキによる温水噴霧方向のズレを小さくできるという効果のある浴室乾燥機が得られる。
【発明の効果】
【００３３】
本発明の浴室乾燥機によれば、浴室空間に向けて温水を噴霧するノズルと前記ノズルに接続された温水供給用配管および暖房用温水回路を具備した浴室乾燥機において、前記ノズルに接続されている前記温水供給用配管が少なくとも２軸の回転軸部を有しており、回転軸部の回転駆動によって前記ノズルの温水噴霧位置が上下変更自在としたことにより、ノズル部に接続された温水供給用配管の少なくとも２つの回転軸部で回動させて、温水噴霧位置の上下位置が変更できることで、ユニットバス設置後に浴室乾燥機を設置する場合、ユニットバス設置後に浴室乾燥機を設置する場合の両方の場合において、浴室の天井板の厚さの影響を受けずに、ルーバーに対する温水噴霧用ノズル部の位置関係をほぼ一定の高さに合せることができ、どちらの施工においても所要の温水噴霧性能を維持することができる。
【００３４】
また、本発明の浴室乾燥機によれば、ノズルまたは温水配管に係止部を設け浴室乾燥機本体内に係止させる構造の浴室乾燥機にまたは浴室乾燥機本体内にノズルまたは温水配管用の係止部を設けた構造の浴室乾燥機において、浴室乾燥機の設置後にユニットバスの設置を行う場合でも、ノズルが施工の妨げとならず、ユニットバスの施工効率が向上する。
【００３５】
また、本発明の浴室乾燥機によれば、ルーバー等の浴室乾燥機の一部にノズルまたは温水供給用配管の位置を固定する構造の浴室乾燥機において、前記ノズルまたは配管の位置を固定部に回転方向のずれを防止する機構を設けることにより、施工によって生じる温水噴霧方向のバラツキを抑制し、所要の温水噴霧方向を維持できる。
【００３６】
また、本発明の浴室乾燥機によれば、ノズルと温水供給用配管の結合部において、回転方向の位置ずれを防止するためのずれ防止機構を設けることにより、施工によって生じる温水噴霧方向のバラツキを抑制し、所要の温水噴霧方向を維持できる。
【発明を実施するための最良の形態】
【００３７】
本発明は、浴室空間に向けて温水を噴霧するノズルと前記ノズルに接続された温水供給用配管および暖房用温水回路を具備した浴室乾燥機において、前記ノズルに接続されている前記温水供給用配管が少なくとも２軸の回転軸部を有しており、軸部の回転駆動によって前記ノズルの温水噴霧位置が上下変更自在としたことを特徴とする浴室乾燥機であって、温水噴霧ノズル部に接続された温水供給用配管の少なくとも２つの回転軸部で回動させて、温水噴霧位置の上下位置が変更できるという作用を有する。
【００３８】
また、温水供給用配管の回転軸部は、ノズルを高さ方向に移動させる第１の軸とノズルの噴射方向を調整する第２の軸で構成し、前記第１の回転軸部と前記第２の回転軸部との相対的な位置を略水平としたことを特徴とする浴室乾燥機であって、第１の回転軸部を中心に回転させてノズルを上下方向へ動かしても、水平方向のずれを少なくしてノズル位置を調整することができるという作用を有する。
【００３９】
また、温水供給用配管は、第１の回転軸部と第２の回転軸部とを接続している温水供給用配管を弾性強度を有する形状とした浴室乾燥機であって、回転軸部の先端に取付けたノズルを引っ張ってノズル位置を調整したときに回転部へかかる無理な応力を弾性配管の弾性によって吸収するという作用を有する。
【００４０】
また、ノズルの初期状態は、上下可動範囲の中間に位置している浴室乾燥機であって、第１の回転軸部を中心に回転させてノズルを上下方向へ動かしても、水平方向のずれを少なくしてノズル位置を調整することができるという作用を有する。
【００４１】
また、ノズルに接続されている温水供給用配管の回転軸部が、回転軸部より先端部の自重で回転しない保持力を有した浴室乾燥機であって、回転部の保持力によりノズル位置・角度を保持できるという作用を有する。
【００４２】
また、ノズルまたは温水供給用配管に係止部を設け、前記係止部を浴室乾燥機本体内に係止させる浴室乾燥機であって、ノズル係止部でノズルの先端部を浴室乾燥機本体内に収納するという作用を有する。
【００４３】
また、浴室乾燥機本体内にノズルまたは温水供給用配管を係止する係止部を設け、前記ノズルまたは温水供給用配管を係止させる浴室乾燥機であって、係止部でノズルの先端部を収納するという作用を有する。
【００４４】
また、ノズルの駆動範囲に温水供給用配管または前記ノズルが駆動しやすくするための案内機構を設けた浴室乾燥機であって、案内機構に沿って温水供給用配管やノズルを移動させて上下位置を調節するという作用を有する。
【００４５】
また、ノズルを浴室乾燥機に固定する部分に、温水が噴霧する回転方向の位置ずれを防止するためのずれ防止機構を設けた浴室乾燥機であって、ノズルの位置を固定する際にずれ防止機構によりノズルの回転方向のずれを防止させて取付けることができるという作用を有する。
【００４６】
また、ノズルと温水供給用配管の結合部に回転方向の位置ずれを防止するためのずれ防止機構を設けた浴室乾燥機であって、ずれ防止機構によりノズルを温水供給用配管の結合部へ挿入する方向が規制されノズルの固定方向の位置決めを行うという作用を有する。
【００４７】
以下、本発明の実施の形態について図面を参照しながら説明する。
【００４８】
（実施の形態１）
図１に示すように、本発明の浴室天井１に設置される浴室乾燥機２は、浴室乾燥機循環部３と換気用送風機と換気用送風路とで構成されて浴室内の空気を排気する浴室乾燥機換気部４とで構成されている。浴室乾燥機循環部３は、浴室内の空気を加熱しながら循環させる循環用送風機５と循環用送風路６と循環送風用加熱装置７と、前記浴室内の空間に向けて温水を噴霧するノズル８と、このノズル８に接続されている温水供給用配管９と、前記ノズル８から噴霧する温水を加熱する温水加熱装置１０とで構成されている。前記循環送風用加熱装置７は、温水を熱源にしたラジエーターや電気ヒーターのことである。
【００４９】
熱源がラジエーターの場合の浴室乾燥機本体構成を図３で示す。循環送風用加熱装置７は、暖房温水回路として、ラジエーター１１への温水循環回路１２と熱源機１３を備えている。ノズル８から噴霧する温水は、市水を用い、給水回路１４によって浴室乾燥機２に供給され、水熱交換器１５で温められた後にノズル８へ供給される。給水回路１４に逆止弁１６が取り付けられる。水熱交換器１５への温水供給は、熱源機１３から温水循環回路１２にて供給される。熱源機１３から水熱交換器１５までの温水循環回路１２に水熱交換器１５に供給される温水量を制御する水比例弁１７を設け、ノズル８での温水噴霧温度を制御するものである。
【００５０】
また、温水供給用配管９は、温水加熱装置１０から鉛直上方に配管され、ノズルを高さ方向に自在に変更移動させる第１の回転軸部１８を介して水平方向へ第１の配管９ａによって配管され、さらにノズルの噴射方向を自在に変更調整する第２の回転軸部１９を介して鉛直下方へ第２の配管９ｂによって配管され、ノズル８へ接続されている。そして、図４に示すように、第１の回転軸部１８と第２の回転軸部１９は、ノズルの上下位置と噴射方向の調整の範囲の中心として、かつ相対的に略水平の位置を初期位置として配置したものである。
【００５１】
また、図４に示すように、前記第１の回転軸部１８と第２の回転軸部１９を接続する温水供給用配管９である第１の配管９ａは、第１の回転軸部１８よりの位置を山形の形状に形成し弾性強度を有するものである。
【００５２】
また、第１の回転軸部１８と第２の回転軸部１９は、温水供給用配管９の先端側の重量による回動作用よりも大きな保持力を持たし構成する。
【００５３】
また、浴室乾燥機２本体は、図９に示すようにノズル８または、温水供給用配管９のノズル８に接続する第２の配管９ｂの外周部分に水平方向に突出させたノズル係止部２０と、このノズル係止部２０を挿入させるようにして、浴室乾燥機２の内壁面にコの字状にして形成したリブ２１とを設け構成する。
【００５４】
上記構成により、図１のように、ユニットバス設置後に浴室乾燥機２を設置する場合には、建物躯体に取り付けた吊りボルトに浴室乾燥機２を固定後、ユニットバスを設置し、浴室乾燥機２本体下部のフランジ下面をユニットバスの浴室天井１の天井裏側面に接し、浴室内からルーバー２２を取り付けることとなる、つまりユニットバスの浴室天井１を浴室乾燥機２本体とルーバー２２とで挟み込むこととなる。そして、温水噴霧のノズル８に接続されている温水供給用配管９に２軸の回転軸部を有しており、ノズル８が上下変更自在であることから、施工時は浴室乾燥機２を建物躯体に取り付けた吊りボルトを浴室乾燥機２に固定して、図９のようにユニットバス天井の設置の妨げとならないようにノズル８を一旦浴室乾燥機側に押込みノズル係止部２０をリブ２１に係止させてノズル８を浴室乾燥機２内へ仮固定する。ユニットバス天井の設置後、仮固定はずして、ノズル８を浴室側に引き込み、ルーバー２２を浴室乾燥機に取り付けた後に、ノズル８を押し上げルーバー２２に固定することとなる。
【００５５】
また、図２のように、ユニットバス設置後に浴室乾燥機を設置する場合、前記と同様にあらかじめノズル係止部２０をリブ２１へ係止させておき、ノズル８を浴室乾燥機２内へ仮固定しておき、ユニットバスの浴室天井１に開口を開け、浴室内から浴室乾燥機２本体を挿通して浴室乾燥機２本体下端のフランジ上面を開口部周囲の天井面に接した状態で、浴室乾燥機２とユニットバス天井面をネジ固定することとなる。その後仮固定をはずして、ノズル８を一旦浴室側に引き込む。ルーバー２２を浴室乾燥機２に固定後、ノズル８をルーバー２２に取り付ける。
【００５６】
したがって、浴室乾燥機２本体をユニットバスへ取り付けた後に、ノズル８に接続された温水供給用配管９の第１の回転軸部１８で回動させて、温水噴霧位置の上下位置が変更でき、浴室の天井板の厚さの影響を受けずに、ルーバー２２に対する温水噴霧用ノズル部の位置関係をほぼ一定の高さに合せることができ、ユニットバス設置後に浴室乾燥機を設置する場合とユニットバス設置後に浴室乾燥機を設置する場合の両方の場合のどちらの施工においても浴室乾燥機をユニットバスへ取り付けるときにノズルが妨げにならず、ノズルの位置を調節して、所要の温水噴霧性能を維持することができることとなる。
【００５７】
また、図４に示すように、第１の回転軸部１８を中心に回転させてノズル８を上下方向へ動かしても、第２の回転軸部１９は、相対的に略水平の初期位置に配置しているので、この初期位置を中心に第２の回転軸部１９ａ、１９ｂで示すように上下に移動させることで、この移動方向と第１の回転軸部１８による第２の回転軸部１９の移動軌跡の接線方向を略一致させることができ、水平方向のずれが少なくなり、第２の回転軸部１９を大きく回動することなく、ノズルの水平位置を調整することができ、ノズル８の上下位置を簡単に調節でき、かつ施工のバラツキによる温水噴霧方向のズレを小さくできることとなる。
【００５８】
また、軸部の先端に取り付けたノズル８を引っ張ってノズル位置を調整したときに回転軸部へかかる無理な応力を山形形状の部分の弾性によって吸収することができ、ノズル８の上下位置を簡単に調節でき、かつ施工のバラツキによる温水噴霧方向のズレを小さくできることとなる。
【００５９】
また、第１の回転軸部１８よりに山形形状の形成していることで、ノズル８部分を引っ張ってノズル８の位置を調整しても弾性による応力を容易に吸収することができ、回転軸部への応力の伝達をより緩和することができる。
【００６０】
また、回転部の保持力によりノズル位置・角度を保持でき、ノズルの上下位置を施工者の意図した位置へ簡単に調節でき、かつ施工のバラツキによる温水噴霧方向のズレを小さくできることとなる。
【００６１】
なお、本実施の形態では、第１の配管９ａは、第１の回転軸部１８側に山形形状を形成して弾性強度を有する例を説明したが、図６に示すように、第１の回転軸部１８と第２の回転軸部１９の間の部分に山なりに形成した円弧形状の第３の配管９ｃを用いても弾性強度を有し、回転軸部へかかる無理な応力を吸収することができる。また、図７に示すように、第１の回転軸部１８と第２の回転軸部１９の間の部分に２曲がりのコの字形状を形成し、第１の回転軸部１８と第２の回転軸部１９の上方に接続したループ形状の第４の配管９ｄを用いても弾性形状有し、回転軸部へかかる無理な応力を吸収することができる。
【００６２】
図９のように温水供給用配管９の回転軸部を利用してノズル８を上側に移動させて、ノズル係止部２０を矢印の向きに従って、リブ２１に係止させると、ノズル８の先端部を浴室乾燥機２本体内に安定して収納させることができる。これによって浴室乾燥機２の設置後にユニットバスの設置を行う場合でも、施工の妨げとならずにユニットバスの施工効率が向上する。
【００６３】
（実施の形態２）
本実施の形態は、図１０に示すように、実施の形態１のノズル係止部２０をリブ２１に係止させる構成に対して、第２の配管９ｂをＴ字の分岐構成にして設け、ノズル８を２つ接続する構成とし、浴室乾燥機本体内にＬ字形状にして突出させて、温水供給用配管９を下降しないように第２の配管９ｂの水平部を保持させて係止する本体側係止部２４を設け構成する。
【００６４】
上記構成により、本体側係止部２４でノズル８の先端部を浴室乾燥機本体内に安定して収納することができる。これによって浴室乾燥機設置後にユニットバスの設置を行う場合でも、ノズル８が施工の妨げとならずユニットバスの施工効率が向上する。なお、図１０では、温水供給用配管９本体側係止部２４で係止させているが、温水供給用配管９の代わりに温水噴霧のノズル８を係止させる構成としても同様の効果がある。
【００６５】
（実施の形態３）
本実施の形態は、図１１に示すように、温水供給用配管９の垂直駆動範囲に併行して、浴室乾燥機２の内壁に突出させた板状の案内機構２５を設け構成する。
【００６６】
上記構成により、案内機構２５に沿って温水供給用配管９やノズル８を移動させて上下位置を調節し、ノズルの上下位置を簡単に調節でき、浴室乾燥機２をユニットバス設置前・設置後の施工どちらの場合でも施工のバラツキによる温水噴霧方向のズレを小さくできることとなる。
【００６７】
（実施の形態４）
本実施の形態は、図１２に示すように、ノズル８をルーバー２２に取り付ける構成について、ノズル８にはルーバー２２と接する部分には図１３のように略Ｕ字型の溝を形成させた勘合部３１を設け、また図１２に示すようにルーバー２２には、略Ｕ字型に嵌合する台座３２を設け、両者を嵌合させることでノズル８のずれ防止機構３０が構成される。
【００６８】
上記ずれ防止機構３０によりルーバー２２に対して前記ノズル８からの温水噴霧方向を決定し、施工のばらつきによるノズル８の回転方向のずれを小さくすることができる。ずれ防止機構３０は、ねじによって固定されることにより、さらに施工後の位置を安定させて確保することができる。
【００６９】
（実施の形態５）
本実施の形態は、図１４に示すように、ノズル８を温水供給用配管９に接続する構成について、ノズル８と温水供給用配管９の結合部に回転方向の位置ずれを防止するための第２のずれ防止機構３３を設けたことを特徴としている。図１５は温水噴霧のノズル８と温水供給用配管９との接続部分を表している。図１５に示すように第２のずれ防止機構３３は、ノズル８の結合部内周の一部に切欠き部２６を有しており、温水供給用配管９の結合部外周には前記切欠き部２６の嵌合するような突起形状部２８を有しているものである。
【００７０】
上記第２のずれ防止機構３３により、ノズル８の温水供給用配管９の結合部の外周へ挿入することでノズル８の方向が規制され、ノズル８と温水供給用配管９の回転方向の位置が決定する。実施の形態４のずれ防止機構３０と併用することで、施工のばらつきによるノズル８の回転方向のずれをさらに小さくすることができる。なお、切欠き部２６は温水噴霧のノズル８に、前記切欠き部２６との嵌合する突起形状部２８は温水供給用配管９に有しても、同様の効果が得られる。
【産業上の利用可能性】
【００７１】
本発明は、温水をミスト状に噴霧し、浴室をサウナ空間とするミスとサウナ機能を有する浴室乾燥機の用途に適用できる。
【図面の簡単な説明】
【００７２】
【図１】本発明の実施の形態１の浴室乾燥機のユニットバス設置前に取り付けられた状態を示す断面図
【図２】同浴室乾燥機のユニットバス設置後に取り付けられた状態を示す断面図
【図３】同浴室乾燥機の熱源がラジエーターの場合の構成図
【図４】同浴室乾燥機の第１の回転軸部と第２の回転軸部が初期状態で略水平状態を示す図
【図５】同浴室乾燥機の第１の回転軸部と第２の回転軸部によるノズル位置の調整動作を示す図
【図６】同浴室乾燥機の円弧形状の温水供給用配管を示す図
【図７】同浴室乾燥機のループ形状の温水供給用配管を示す図
【図８】同浴室乾燥機の施工時にノズルを本体内に収納したときの状態を示す図
【図９】同実施の形態２の浴室乾燥機のノズル部の係止部を示す図
【図１０】同浴室乾燥機の温水供給用配管の本体側係止部を示す図
【図１１】同実施の形態３の浴室乾燥機の温水供給用配管の上下可動に合わせた案内板を示す図
【図１２】同実施の形態４の浴室乾燥機のノズルをルーバーに取り付ける構成を示す図
【図１３】同ノズルのルーバーへの嵌合部分で略Ｕ字型形状を示す図
【図１４】同実施の形態５の温水供給用配管とノズルの接続構造を示す図
【図１５】同温水噴霧ノズル部の切り欠き形状を示す図
【図１６】従来の浴室乾燥機構成を示す図
【図１７】同従来の浴室乾燥機構成を示す図
【符号の説明】
【００７３】
１    浴室天井
２    浴室乾燥機
３    浴室乾燥機循環部
４    浴室乾燥機換気部
５    循環用送風機
６    循環用送風路
７    循環送風用加熱装置
８    ノズル
９    温水供給用配管
９ａ  第１の配管
９ｂ  第２の配管
９ｃ  第３の配管
９ｄ  第４の配管
１０  温水加熱装置
１１  ラジエーター
１２  温水循環回路
１３  熱源機
１４  給水回路
１５  水熱交換器
１６  逆止弁
１７  水比例弁
１８  第１の回転軸部
１９  第２の回転軸部
２０  ノズル係止部
２１  リブ
２２  ルーバー
２４  本体側係止部
２５  案内機構
２６  切欠き部
２８  突起形状部
３０  ずれ防止機構
３１  勘合部
３２  台座
３３  第２のずれ防止機構
【図１】
0004952466.tif 000002
【図２】
0004952466.tif 000003
【図３】
0004952466.tif 000004
【図４】
0004952466.tif 000005
【図５】
0004952466.tif 000006
【図６】
0004952466.tif 000007
【図７】
0004952466.tif 000008
【図８】
0004952466.tif 000009
【図９】
0004952466.tif 000010
【図１０】
0004952466.tif 000011
【図１１】
0004952466.tif 000012
【図１２】
0004952466.tif 000013
【図１３】
0004952466.tif 000014
【図１４】
0004952466.tif 000015
【図１５】
0004952466.tif 000016
【図１６】
0004952466.tif 000017
【図１７】
0004952466.tif 000018